(57)【要約】【課題】支柱付近のデザイン性がよく、支柱に損傷を与えることなく、任意にその支柱のその昇降位置を確実に保持することができるとともに、展示台の向きを簡易に変更可能な展示具を提供する。【解決手段】スライド柱４を支持筒２内にスライド可能に収容し、その位置決めは、３つの切欠溝２２１を有する雄ネジ２２３とスライド調節筒３の雌ネジ３１をネジ止め固定することにより行い、バネ収容筒９の開口部から雄ネジ８２が外側へ突出した状態で内側に球付ネジ８、干渉リング７及びコイルバネ６を収容してバネ収容筒取付ネジ５によりネジ止めするとともに、商品展示台Ｄを回転可能に取り付け可能であり、かつ、球部８１に複数の摩擦溝８１１を形成することにより商品展示台Ｄの保持力が強化されている。【選択図】図１
2012085793.tif 000002
【特許請求の範囲】
【請求項１】
商品やパンフレット、価格表示ＰＯＰ等の展示物を展示するための展示器具を接続して店舗の売り場等の設置場所に設置するための展示具であって、
一端側の外周に設けられた第１ネジ部と、一端側長手方向に設けられた複数の切欠溝と、を有する支持筒と、
支持筒内にスライド可能に挿入されるスライド柱と、
内壁に第２ネジ部を有するとともに、支持筒とスライド柱とを挿入した状態で第１ネジ部に第２ネジ部をネジ止めすることにより支持筒内にスライド柱を固定するスライド調節筒と、
スライド柱と展示器具とを接続するための展示器具取付部と、を備え、
展示器具取付部は、
コイルバネと、
展示器具と接続するための第３ネジ部と、底部に複数の溝を有する球状の球部と、を備えた球付ネジと、
コイルバネと球付ネジとの間に配置され、球部とコイルバネとの間の摩擦干渉を防止するものであり、球部よりも軟質材料からなる干渉リングと、
一端側には第３ネジ部を内側から挿入する開口部が設けられており、開口部から第３ネジ部が外側へ突出した状態で内側に球付ネジ、干渉リング及びコイルバネを収容するとともに、開口部には球部を抜け止めするフランジが設けられたバネ収容筒と、
バネ収容筒とスライド柱とを接続するためのバネ収容筒取付ネジと、を有しており、
スライド調節筒の内部には、第１ネジ部を挿入する一端側から他端側に向って内径が狭小となる傾斜部が設けられており、第１ネジ部に第２ネジ部をねじ込んでいくと切欠溝が設けられた支持筒の径が窄まり、支持筒内でスライド柱が位置決め固定されること
を特徴とする展示具。
【発明の詳細な説明】
【技術分野】
【０００１】
本発明は、商品等の展示や商品説明、価格表示ＰＯＰ等に利用される展示具に係り、特に、商品展示台の向きや傾きを調節可能にした展示具に関する。
【背景技術】
【０００２】
従来、商品の展示具としては、基台に取り付けられた支柱上に商品の展示台を取り付けたものが、種々提案されている。この展示具は、支柱が大径のパイプ材内に小径のパイプ材を昇降自在に収納したものからなり、大径のパイプ材の外からねじ込んだ螺子部材の尖端を、小径パイプ材の外周に突き当てることによって、小径のパイプ材を任意の昇降位置にロックできるようにしている。従って、大径のパイプ材に対する小径のパイプ材の高さ位置、つまり小径のパイプ材に支持された展示台の高さ位置が調節可能となっている（例えば、特許文献１〜４参照）。
【０００３】
しかしながら、従来の展示具にあっては、支柱の高さ調整をするための螺子部材の頭部が、大径のパイプ材の表面（外周面）から突出した形態をなし、この螺子部材によって支柱部分のデザイン性が大きく損なわれている。また、螺子部材は大径のパイプ材に螺合によって支持されて、先端部を大径のパイプ材内を摺動する小径のパイプ材の外周に突き当てることによって、小径のパイプ材を保持（ロック）するという構成であるため、小径のパイプ材や商品展示台自体、さらにはこの商品展示台に載せられる商品等の重量が、螺子部材先端による小径のパイプ材の保持力（摩擦力）を超えることがあると、小径のパイプ材が次第に下方にズリ下がってしまう場合があった。かかる現象は、小径パイプの高さ位置調節を繰り返し行うことよって顕著に発生し、遂には小径パイプの保持、つまり商品展示台を任意の高さ位置に保持することが全くできなくなるという不都合があった。
【０００４】
また、商品展示台はパイプ材を支持固定されているため、商品展示台の向きを変える場合には高さ調節する螺子部材の螺合を緩めた後、大径のパイプ材内で小径のパイプ材を回転させることによって行うか、あるいは展示具自体を基台ごと回転させることによって行われており、回転作業が面倒であった。
【先行技術文献】
【特許文献】
【０００５】
【特許文献１】特開２００６−２０４５４４号公報
【０００６】
【特許文献２】実開昭５２−８６５４８号公報
【０００７】
【特許文献３】実開昭４８−１０４２８７号公報
【０００８】
【特許文献４】実公昭３６−２２５９８号公報
【発明の概要】
【発明が解決しようとする課題】
【０００９】
本発明は、上述した事情に鑑みてなされたものであり、その目的は、支柱部分の周りに螺子部材などの突出部をなくすることにより、支柱付近のデザイン性を向上できるとともに、支柱に損傷を与えることなく、任意にその支柱のその昇降位置を確実に保持することができるとともに、展示台の向きを簡易に変更可能な展示具を提供することにある。
【課題を解決するための手段】
【００１０】
前記目的を達成するために、本発明に係る展示具は、商品やパンフレット、価格表示ＰＯＰ等の展示物を展示するための展示器具を接続して店舗の売り場等の設置場所に設置するための展示具であって、一端側の外周に設けられた第１ネジ部と、一端側長手方向に設けられた複数の切欠溝と、を有する支持筒と、支持筒内にスライド可能に挿入されるスライド柱と、内壁に第２ネジ部を有するとともに、支持筒とスライド柱とを挿入した状態で第１ネジ部に第２ネジ部をネジ止めすることにより支持筒内にスライド柱を固定するスライド調節筒と、スライド柱と展示器具とを接続するための展示器具取付部と、を備え、展示器具取付部は、コイルバネと、展示器具と接続するための第３ネジ部と、底部に複数の溝を有する球状の球部と、を備えた球付ネジと、コイルバネと球付ネジとの間に配置され、球部とコイルバネとの間の摩擦干渉を防止するものであり、球部よりも軟質材料からなる干渉リングと、一端側には第３ネジ部を内側から挿入する開口部が設けられており、開口部から第３ネジ部が外側へ突出した状態で内側に球付ネジ、干渉リング及びコイルバネを収容するとともに、開口部には球部を抜け止めするフランジが設けられたバネ収容筒と、バネ収容筒とスライド柱とを接続するためのバネ収容筒取付ネジと、を有しており、スライド調節筒の内部には、第１ネジ部を挿入する一端側から他端側に向って内径が狭小となる傾斜部が設けられており、第１ネジ部に第２ネジ部をねじ込んでいくと切欠溝が設けられた支持筒の径が窄まり、支持筒内でスライド柱が位置決め固定されることを特徴とする。
【発明の効果】
【００１１】
本発明によれば、展示台を支持する支柱部分の周りに螺子部材などの突出部がなくなり、これによって支柱付近のデザイン性を向上させることができるとともに、支柱に損傷を与えることなくその展示台の昇降位置をスムースかつ確実に保持することができるとともに、展示台の向きも自由自在に変更することができる。
【図面の簡単な説明】
【００１２】
【図１】本発明の実施形態による展示具の組立て方を説明する平面図。
【図２】図１における支持筒取付ネジを示す上面図、正面図、底面図。
【図３】図１における支持筒を示す上面図。
【図４】図１におけるバネ収容筒取付ネジを示す上面図、正面図、底面図。
【図５】図１における干渉リングを示す正面図、上面図。
【図６】図１における球付ネジを示す上面図、底面図。
【図７】図１の方法により組み立てられた本発明の展示具の使用状態を示す側面図。
【図８】図７の矢印Ｆ１部の状態を説明するための一部断面図。
【図９】図８の矢印Ｆ２部の状態を説明するための一部断面図。
【発明を実施するための形態】
【００１３】
以下、本発明の実施の形態による展示具を図面を参照しながら説明する。図１は本発明の実施形態による展示具の組立て方を説明する平面図、図２は図１における支持筒取付ネジを示す上面図、正面図、底面図、図３は図１における支持筒を示す上面図、図４は図１におけるバネ収容筒取付ネジを示す上面図、正面図、底面図、図５は図１における干渉リングを示す正面図、上面図、図６は図１における球付ネジを示す上面図、底面図、図７は図１の方法により組み立てられた本発明の展示具の使用状態を示す側面図、図８は図７の矢印Ｆ１部の状態を説明するための一部断面図、図９は図８の矢印Ｆ２部の状態を説明するための一部断面図である。なお、本実施形態においては、干渉リング以外は全てステンレスで成形されているがこれに限定されるものではない。
【００１４】
本実施形態による展示具は、支持筒取付ネジ１、支持筒２、スライド調節筒３、スライド柱４、バネ収容筒取付ネジ５、コイルバネ６、干渉リング７、球付ネジ８及びバネ収容筒９からなる。展示具は、基台Ｂに支持筒取付ネジ１を介して取り付けられているとともに、球付ネジ８の雄ネジ（第３ネジ部）８２には商品を展示するための商品展示台Ｄ（展示器具）が取り付けられている。なお、本実施形態においては、支持筒取付ネジ１を本発明の展示具の一部として説明しているが、展示具を設置する場所に展示具を設置するための構造を設けておけば、支持筒取付ネジ１は本発明の必須の構成要素とはならない。また、球付ネジ８に取り付けるものとして本実施形態においては商品展示台Ｄとしているが、これに限定されるものではない。
【００１５】
以下に本発明の展示具の構造について、図１の組み立て図をベースとして説明するが、各構成の構造について補足的な説明を要する場合には、適宜図２〜図６を用いることとする。
【００１６】
図２に示すとおり、支持筒取付ネジ１は円板部１１と、円板部１１の一の面中央部に設けられた雄ネジ１２と、円板部１１の他方の面中央部に設けられた雄ネジ１３とからなり、基台Ｂに設けられた雌ネジ部（図示しない）と雄ネジ１２がネジ止め固定される。
【００１７】
支持筒２は、細長円筒状のスライド筒部２１と、スライド筒部２１の一端側に設けられたスライド調節ネジ部２２とからなる。スライド筒部２１の他端側には、雄ネジ１３とネジ止めするための雌ネジ２１１が設けられている。スライド調節ネジ部２２の外周には、後述するスライド調節筒３とネジ止め固定するための雄ネジ２２３（第１ネジ部）が設けられている。この支持筒２の一端側を図１中上方から見た図が図３であり、スライド調節ネジ部２２の一端側、すなわち、後述するスライド柱４を挿入するための開口部側には、開口部から下方に向って３本の切欠溝２２１が設けられており、この切欠溝２２１によりスライド調節ネジ部２２の一端側には上面視円弧状の細長板状部材である開閉部材２２２が３ヶ形成される。
【００１８】
スライド調節筒３は筒状部材であり、その一端側の内壁には雄ネジ２２３とネジ止め固定するための雌ネジ３１（第２ネジ部）が設けられており、その中央部外周には指で締め付け固定する際に指との間に摩擦力を付与し締め付け易くするためのグリップ部３２が形成されている。このスライド調節筒３により、支持筒２内にスライド柱４を位置決め固定するのであるが、その詳細な説明は後述する。
【００１９】
スライド柱４は、支持筒２内にスライド可能に挿入される部材であり、支持筒２内に挿入される部分である柱部４１と、柱部４１の一端側に設けられ後述する展示台取付部Ａを取り付けるための取付部４２と、を有している。
【００２０】
図１及び図７に示すように、商品展示台Ｄをスライド柱４の取付部４２に取り付けることにより、商品展示台Ｄは上下位置を容易に変更可能であるとともに商品展示台Ｄの向きを自由自在に回転させることができる。このような機能が発揮できるのは、バネ収容筒取付ネジ５、コイルバネ６、干渉リング７、球付ネジ８及びバネ収容筒９からなる展示台取付部Ａを採用したからである。以下に、展示台取付部Ａの各構造について詳細に説明する。
【００２１】
バネ収容筒取付ネジ５は、図４に示すように、取付部４２の雌ネジ４２１とネジ止め固定するための雄ネジ５１と、この雄ネジ５１より径を大きくするとともに後述するバネ収容筒９の雌ネジ９１とネジ止め固定するための雄ネジ５２と、コイルバネ６をバネ収容筒９内で支持するためのバネ支持部５３と、からなる。図４に示すとおり、雄ネジ５１の先端にはドライバ等の冶具の先を嵌め込むことができる操作溝５１１が設けられている。この操作溝５１１を使用してマイナスドライバによりバネ収容筒９にネジ止め固定すればネジ止め作業は容易に行える。
【００２２】
干渉リング７は、バネ収容筒９内においてコイルバネ６と後述する球付ネジ８との間に配置される部材であり、コイルバネ６と球付ネジ８の球部８１との間の摩擦干渉を防止するために設けられた部材である。材質は、球部８１の材質よりも軟質であることが好ましく、本実施形態においては、球部８１をステンレスで成形しているのでそれより軟質の材質である真鍮を干渉リング７の材料として使用している。干渉リング７は、図５に示すとおり、全体を円形部材としその中央部には球部８１の形状に合わせて凹部７１が設けられているとともに、その凹部７１の中央には孔８２が穿設されている。
【００２３】
球付ネジ８は、球状の球部８１と、球部８１に立設されるとともに商品展示台Ｄとネジ止め固定するための雄ネジ８２（第３ネジ部）と、からなる。図６に示すとおり球部８１の底面には複数の摩擦溝８１１が放射状に設けられており、この摩擦溝８１１を形成することにより干渉リング７との間に摩擦力を付与するように構成されている。この摩擦溝８１１の機能については図９を用いて後ほど説明する。
【００２４】
バネ収容筒９は円筒状部材であり、その一端側には雄ネジ８２を内側から挿入するための開口部を有するとともに、この開口部には球部８１が外部に抜け落ちないようフランジ９２が設けられており（図９参照）、一方、他端側にはバネ収容筒取付ネジ５の雄ネジ５２とネジ止め固定するための雌ネジ９１が設けられている。バネ収容筒９には開口部から雄ネジ８２が外部に突出した状態で、その内部に球付ネジ８、干渉リング７及びコイルバネ６が配置され、バネ収容筒取付ネジ５の雄ネジ５２をバネ収容筒９の雌ネジ９１にネジ止め固定することによりコイルバネ６がバネ支持部５３に支持された状態でこれら部材が収容され図９に示す展示台取付部Ａが組み立てられる。
【００２５】
本実施形態の展示具は、例えば、図１の矢印の番号順で組み立てられる。具体的には、（１）支持筒２に支持筒取付ネジ１がネジ止めされ、（２）スライド柱４の下方側からスライド調節筒３を挿入する。（３）この状態のままスライド柱４を支持筒２内に挿入する。この状態でスライド柱４を所望の位置に合わせスライド調節筒３を支持筒２にネジ止め固定すれば、スライド柱４の位置を簡易かつ確実に調整できることとなる。
【００２６】
次いで、展示台取付部Ａを組み立てる。この組立ての際には、バネ収容筒９を図１に示す状態から上下逆さまにした状態で行なうのが好ましい。具体的には、バネ収容筒９を上下逆さまにした状態で、（４）バネ収容筒９に球付ネジ８を内側から挿入し、（５）次いで凹部７１が球部８１に向くようにして干渉リング７を挿入し、（６）次に、コイルバネ６を挿入する。この状態で、コイルバネ６にバネ支持部５３が挿入され支持されるようにしてバネ収容筒取付ネジ５をバネ収容筒９にネジ止め固定する。この際に、操作部５１１にマイナスドライバの先を嵌め込みネジ止め作業を行なうと作業が容易である。
【００２７】
このようにして組み立てられた展示台取付部Ａを雄ネジ５１と雌ネジ４２１とをネジ止め固定し、支持筒取付ネジ１を介して基台Ｂを取り付けるとともにバネ収容筒９外部に突出した雄ネジ８２により商品展示台Ｄをネジ止め固定すれば、図７に示す商品を展示するための展示具が完成する。
【００２８】
次に、本実施形態における展示具のスライド柱４の位置決め構造と、展示台取付部Ａによる商品展示台Ｄの回転構造について図８及び９を参照して説明する。
【００２９】
図８は図７の矢印Ｆ１部分の一部断面拡大図であり、柱部４１が支持筒２内でスライド調節筒３により位置決め固定された状態が図示されている。スライド調節ネジ部２２には、図８に示すとおり、開口部分に向うにつれて外径が小さくなるように傾斜部２３が設けられており、他方、スライド調節筒３の内壁にも図８中下側の開口部から他方の開口部に向うにつれて内径が小さくなる内壁傾斜部３２が設けられている。よって、スライド調節筒３を雌ネジ２１１にねじ込んでいくと３つの開閉部材２２２がこの内壁傾斜部３３に外側から圧接され、３つの開閉部材２２２により取り囲まれたスライド柱４の柱部４１を外側から締め付ける。これにより、スライド柱４は支持筒２内の所定の位置で位置決め固定される。なお、このように開閉部材２２２はスライド柱４を位置決め固定する度に締め付けられることとなり、強度が要求されるので、支持筒２の材質は焼付け加工可能なステンレスであることが好ましい。なお、本実施形態においては、支持筒２の外径を直径８ｍｍ、内径を５ｍｍ、上方の開口部の外径を６ｍｍとなるように傾斜部２３を設け、スライド調節筒３の外径を８ｍｍ、支持筒２を挿入する側の開口部の内径を７ｍｍ、内壁傾斜部３１の先端側の内径を５ｍｍとなるように設計したが、これに限定されるものではない。
【００３０】
次に、図９を参照して展示台取付部Ａによる商品展示台Ｄの回転構造について説明する。図９は図７の矢印Ｆ２部分の一部断面拡大図であり、展示台取付部Ａの構造が図示されている。展示台取付部Ａの組み立て方については上記において説明したとおりである。この展示台取付部Ａにおいては、商品展示台Ｄを雄ネジ８２に取り付けた状態で商品展示台Ｄを図９の矢印の方向に回転させることができる。この回転構造について図８を用いて説明すると、球付ネジ８の球部８１は図９に示すように干渉リング７の凹部７１上に摺動可能に載置される。よって、雄ネジ８２を手で掴み矢印方向に動かすと、球部８１が干渉リング７の凹部７１上を摺動し、その結果、雄ネジ８２は矢印方向に自由自在に回転させることができる。
【００３１】
球部８１は、フランジ９２により抜け止めされるとともに、このフランジ９２と干渉リング７により挟持されることとなる。バネ収容筒取付ネジ５の締め付けを深くすると、コイルバネ６が圧縮されるとともに、コイルバネ６の上方では干渉リング７がその復元力により上方に付勢され、これに連動して球部８１も付勢力を受けフランジ９２に押し付けられる。その結果、フランジ９２及び干渉リング７と球部８１の摩擦抵抗が増加し、雄ネジ８２を動作させる際の動作抵抗が増す。この動作抵抗が増すということは、商品展示台Ｄに対する保持力も増す、すなわち、例えば、商品展示台Ｄの重要が重かったり、商品展示台Ｄに展示する商品が重かったりした場合であっても、重さに負けることなく球付ネジ８が所定の位置に保持されているということである。
【００３２】
更に、本発明の展示具においては、この保持力を増すため、球部８１の底面に複数の摩擦溝８１１を放射状に設けている。このような構造とすることにより、球部８１と干渉リング７との間の摩擦抵抗が一層増すこととなる。
【符号の説明】
【００３３】
１      支持筒取付ネジ
１１    円板部
１２    雄ネジ
１３    雄ネジ
２      支持筒
２１    スライド筒部
２１１  雌ネジ
２２    スライド調節ネジ部
２２１  切欠溝
２２２  開閉部材
２２３  雄ネジ（第１ネジ部）
２３    傾斜部
３      スライド調節筒
３１    雌ネジ（第２ネジ部）
３２    グリップ部
３３    内壁傾斜部
４      スライド柱
４１    柱部
４２    取付部
４２１  雌ネジ
５      バネ収容筒取付ネジ
５１    雄ネジ
５２    雄ネジ
５３    バネ支持部
６      コイルバネ
７      干渉リング
７１    凹部
７２    孔
８      球付ネジ
８１    球部
８１１  摩擦溝
８２    雄ネジ（第３ネジ部）
９      バネ収容筒
９１    雌ネジ
９２    フランジ
Ｂ      基台
Ｄ      商品展示台（展示器具）
【図１】
2012085793.tif 000003
【図２】
2012085793.tif 000004
【図３】
2012085793.tif 000005
【図４】
2012085793.tif 000006
【図５】
2012085793.tif 000007
【図６】
2012085793.tif 000008
【図７】
2012085793.tif 000009
【図８】
2012085793.tif 000010
【図９】
2012085793.tif 000011
【手続補正書】
【提出日】平成23年11月16日(2011.11.16)
【手続補正１】
【補正対象書類名】明細書
【補正対象項目名】００１０
【補正方法】変更
【補正の内容】
【００１０】
前記目的を達成するために、本発明に係る展示具は、商品やパンフレット、価格表示ＰＯＰ等の展示物を展示するための展示器具を接続して店舗の売り場等の設置場所に設置するための展示具であって、一端側の外周に設けられた第１ネジ部と、一端側長手方向に設けられた複数の切欠溝と、を有する支持筒と、支持筒内にスライド可能に挿入されるスライド柱と、内壁に第２ネジ部を有するとともに、支持筒とスライド柱とを挿入した状態で第１ネジ部に第２ネジ部をネジ止めすることにより支持筒内にスライド柱を固定するスライド調節筒と、スライド柱と展示器具とを接続するための展示器具取付部と、を備え、展示器具取付部は、コイルバネと、展示器具と接続するための第３ネジ部と、底面に複数の溝が放射状に設けられた球状の球部と、を備えたステンレス製の球付ネジと、コイルバネと球付ネジとの間に配置され、球部を載置する凹部を有し球部とコイルバネとの間の摩擦干渉を防止するものであり、球部よりも軟質材料からなる真鍮製の干渉リングと、一端側には第３ネジ部を内側から挿入する開口部が設けられており、開口部から第３ネジ部が外側へ突出した状態で内側に球付ネジ、干渉リング及びコイルバネを収容するとともに、開口部には球部を抜け止めするフランジが設けられたバネ収容筒と、バネ収容筒とスライド柱とを接続するためのバネ収容筒取付ネジと、を有しており、スライド調節筒の内部には、第１ネジ部を挿入する一端側から他端側に向って内径が狭小となる傾斜部が設けられており、第１ネジ部に第２ネジ部をねじ込んでいくと切欠溝が設けられた支持筒の径が窄まり、支持筒内でスライド柱が位置決め固定されることを特徴とする。
【手続補正２】
【補正対象書類名】明細書
【補正対象項目名】００２２
【補正方法】変更
【補正の内容】
【００２２】
干渉リング７は、バネ収容筒９内においてコイルバネ６と後述する球付ネジ８との間に配置される部材であり、コイルバネ６と球付ネジ８の球部８１との間の摩擦干渉を防止するために設けられた部材である。材質は、球部８１の材質よりも軟質であることが好ましく、本実施形態においては、球部８１をステンレスで成形しているのでそれより軟質の材質である真鍮を干渉リング７の材料として使用している。干渉リング７は、図５に示すとおり、全体を円形部材としその中央部には球部８１の形状に合わせて凹部７１が設けられているとともに、その凹部７１の中央には孔７２が穿設されている。
【手続補正３】
【補正対象書類名】明細書
【補正対象項目名】００２９
【補正方法】変更
【補正の内容】
【００２９】
図８は図７の矢印Ｆ１部分の一部断面拡大図であり、柱部４１が支持筒２内でスライド調節筒３により位置決め固定された状態が図示されている。スライド調節ネジ部２２には、図８に示すとおり、開口部分に向うにつれて外径が小さくなるように傾斜部２３が設けられており、他方、スライド調節筒３の内壁にも図８中下側の開口部から他方の開口部に向うにつれて内径が小さくなる内壁傾斜部３３が設けられている。よって、スライド調節筒３を雌ネジ２１１にねじ込んでいくと３つの開閉部材２２２がこの内壁傾斜部３３に外側から圧接され、３つの開閉部材２２２により取り囲まれたスライド柱４の柱部４１を外側から締め付ける。これにより、スライド柱４は支持筒２内の所定の位置で位置決め固定される。なお、このように開閉部材２２２はスライド柱４を位置決め固定する度に締め付けられることとなり、強度が要求されるので、支持筒２の材質は焼付け加工可能なステンレスであることが好ましい。なお、本実施形態においては、支持筒２の外径を直径８ｍｍ、内径を５ｍｍ、上方の開口部の外径を６ｍｍとなるように傾斜部２３を設け、スライド調節筒３の外径を８ｍｍ、支持筒２を挿入する側の開口部の内径を７ｍｍ、内壁傾斜部３３の先端側の内径を５ｍｍとなるように設計したが、これに限定されるものではない。
【手続補正４】
【補正対象書類名】明細書
【補正対象項目名】００３０
【補正方法】変更
【補正の内容】
【００３０】
次に、図９を参照して展示台取付部Ａによる商品展示台Ｄの回転構造について説明する。図９は図７の矢印Ｆ２部分の一部断面拡大図であり、展示台取付部Ａの構造が図示されている。展示台取付部Ａの組み立て方については上記において説明したとおりである。この展示台取付部Ａにおいては、商品展示台Ｄを雄ネジ８２に取り付けた状態で商品展示台Ｄを図９の矢印の方向に回転させることができる。この回転構造について図９を用いて説明すると、球付ネジ８の球部８１は図９に示すように干渉リング７の凹部７１上に摺動可能に載置される。よって、雄ネジ８２を手で掴み矢印方向に動かすと、球部８１が干渉リング７の凹部７１上を摺動し、その結果、雄ネジ８２は矢印方向に自由自在に回転させることができる。
【手続補正５】
【補正対象書類名】明細書
【補正対象項目名】００３１
【補正方法】変更
【補正の内容】
【００３１】
球部８１は、フランジ９２により抜け止めされるとともに、このフランジ９２と干渉リング７により挟持されることとなる。バネ収容筒取付ネジ５の締め付けを深くすると、コイルバネ６が圧縮されるとともに、コイルバネ６の上方では干渉リング７がその復元力により上方に付勢され、これに連動して球部８１も付勢力を受けフランジ９２に押し付けられる。その結果、フランジ９２及び干渉リング７と球部８１の摩擦抵抗が増加し、雄ネジ８２を動作させる際の動作抵抗が増す。この動作抵抗が増すということは、商品展示台Ｄに対する保持力も増す、すなわち、例えば、商品展示台Ｄの重量が重かったり、商品展示台Ｄに展示する商品が重かったりした場合であっても、重さに負けることなく球付ネジ８が所定の位置に保持されているということである。
【手続補正６】
【補正対象書類名】特許請求の範囲
【補正対象項目名】全文
【補正方法】変更
【補正の内容】
【特許請求の範囲】
【請求項１】
商品やパンフレット、価格表示ＰＯＰ等の展示物を展示するための展示器具を接続して店舗の売り場等の設置場所に設置するための展示具であって、
一端側の外周に設けられた第１ネジ部と、一端側長手方向に設けられた複数の切欠溝と、を有する支持筒と、
支持筒内にスライド可能に挿入されるスライド柱と、
内壁に第２ネジ部を有するとともに、支持筒とスライド柱とを挿入した状態で第１ネジ部に第２ネジ部をネジ止めすることにより支持筒内にスライド柱を固定するスライド調節筒と、
スライド柱と展示器具とを接続するための展示器具取付部と、を備え、
展示器具取付部は、
コイルバネと、
展示器具と接続するための第３ネジ部と、底面に複数の溝が放射状に設けられた球状の球部と、を備えたステンレス製の球付ネジと、
コイルバネと球付ネジとの間に配置され、球部を載置する凹部を有し球部とコイルバネとの間の摩擦干渉を防止するものであり、球部よりも軟質材料からなる真鍮製の干渉リングと、
一端側には第３ネジ部を内側から挿入する開口部が設けられており、開口部から第３ネジ部が外側へ突出した状態で内側に球付ネジ、干渉リング及びコイルバネを収容するとともに、開口部には球部を抜け止めするフランジが設けられたバネ収容筒と、
バネ収容筒とスライド柱とを接続するためのバネ収容筒取付ネジと、を有しており、
スライド調節筒の内部には、第１ネジ部を挿入する一端側から他端側に向って内径が狭小となる傾斜部が設けられており、第１ネジ部に第２ネジ部をねじ込んでいくと切欠溝が設けられた支持筒の径が窄まり、支持筒内でスライド柱が位置決め固定されること
を特徴とする展示具。